(57)【要約】  排水の浄化のための嫌気性浄化装置用のガス液分離装置（３０）であって、ガス液ライザーパイプ（３２）と、前記ガス液ライザーパイプ（３２）に取り付けられ、ガス液ライザーパイプに対して垂直な方向に−４５度〜＋４５度の角度を画定し、ガス液ライザーパイプ（３２）から流体を受けるように構成された分離パイプ（３４）と、嫌気性浄化装置と組み立てられた場合に、接地面と反対方向に分離パイプ（３４）に沿う面に配置され、分離パイプ（３４）内のガスの少なくとも一部をガス液分離装置の外部に導くように構成された少なくとも１つのパイプガス排出口（３５）と、分離パイプ（３４）に取り付けられ、分離パイプから流体を受けるように構成された液体サイクロン（３６）と、液体サイクロン（３６）の上側に配置され、液体サイクロン（３６）に進入するガスを液体サイクロンの外部に導くように構成された少なくとも１つのサイクロンガス排出口（３７）と、液体サイクロン（３６）の底部に取り付けられ、脱ガス済みの流体を液体サイクロンの外部に導くように構成された１つの液体排出口（３８）と、を備えたガス液分離装置。
2019529082.tif 000002
【特許請求の範囲】
【請求項１】
排水の浄化のための嫌気性浄化装置用のガス液分離装置（３０）であって、
ガス液ライザーパイプ（３２）と、
前記ガス液ライザーパイプ（３２）に取り付けられ、前記ガス液ライザーパイプに対して垂直な面と−４５度〜＋４５度の角度を画定し、動作時に、前記ガス液ライザーパイプ（３２）から流体を受けるように構成された分離パイプ（３４）と、
嫌気性浄化装置と組み立てられた場合に、接地面と反対方向に、分離パイプに沿った面に配置され、動作時に、前記分離パイプ（３４）内のガスの少なくとも一部を前記ガス液分離装置の外部に導くように構成された少なくとも１つのパイプガス排出口（３５）と、
前記分離パイプ（３４）に取り付けられ、動作時に、前記分離パイプから流体を受けるように構成された液体サイクロン（３６）と、
動作時に、前記液体サイクロン（３６）に進入するガスを前記液体サイクロンの外部に導くように構成された少なくとも１つのサイクロンガス排出口（３７）と、
動作時に、脱ガス済みの流体を前記液体サイクロンの外部に導くように構成された１つの液体排出口（３８）を備えたガス液分離装置。
【請求項２】
前記分離パイプ（３４）が、複数の、好ましくは２〜１０箇所の、より好ましくは少なくとも３箇所の、さらに好ましくは３〜６箇所のパイプガス排出口（３５）を備えている請求項１に記載のガス液分離装置。
【請求項３】
前記少なくとも１つのパイプガス排出口（３５）が、１００ミリメートルから４００ミリメートルの間、より好ましくは１５０ミリメートルから３００ミリメートルの間の直径を有する、請求項１または２のいずれか一項に記載のガス液分離装置。
【請求項４】
前記ガス液ライザーパイプ（３２）は、嫌気性浄化装置と組み立てられた場合に垂直配向を有する、請求項１乃至３のいずれか一項に記載のガス液分離装置。
【請求項５】
前記分離パイプ（３４）の直径は、前記ライザーパイプ（３２）の直径以上である、請求項１乃至４のいずれか一項に記載のガス液分離装置。
【請求項６】
前記液体サイクロン（３６）の直径は、前記分離パイプ（３４）の直径以上である、請求項１乃至５のいずれか一項に記載のガス液分離装置。
【請求項７】
好ましくはポリプロピレンであるプラスチック材料から製造されている、請求項１乃至６のいずれか一項に記載のガス液分離装置。
【請求項８】
複数のライザーパイプ（３２）と複数の分離パイプ（３４）を備え、各ライザーパイプが各分離パイプに接続され、前記複数の分離パイプ（３４）が前記液体サイクロン（３６）に接続されている請求項１乃至７のいずれか一項に記載のガス液分離装置。
【請求項９】
−反応槽（１０）と、
−前記反応槽（１０）の上部に配置された流体回収部（１８）と、
−動作時に、前記反応槽（１０）に収容された流体からガスを回収するための、前記流体回収部（１８）の下のレベルに配置された少なくとも１つのガス回収システム（１４）と、
−請求項１乃至８のいずれか一項に記載の少なくとも１つのガス液分離装置（３０）と、
−少なくとも１つのガス回収システム（１４）に接続され、前記少なくとも１つのガス液分離装置（３０）に排出する少なくとも１つのライザーパイプ（２２）と、
−前記少なくとも１つのガス液分離装置（３０）に接続され、前記反応槽（１０）の底に排出する１つのダウナーパイプ（２４）と、を備えた嫌気性浄化装置。
【請求項１０】
前記反応槽（１０）が少なくとも２つのガス回収システムを備え、そのうち少なくとも１つの回収システム（１４）は下部ガス回収システムであり、上部ガス回収システム（１６）は前記流体回収部（１８）と前記下部ガス回収システム（１４）の間に配置されている、請求項９に記載の嫌気性浄化装置。
【請求項１１】
前記ライザーパイプ（２２）が、前記反応槽（１０）内に収容された液体を、前記少なくとも１つのガス回収システム（１４）内に回収されたガスによって引き起こされたガス引き上げ動作によって引き上げるように構成されている、請求項９または１０のいずれか一項に記載の嫌気性浄化装置。
【請求項１２】
前記ダウナーパイプ（２４）は、前記少なくとも１つのガス液分離装置（３０）からの液体を前記反応槽（１０）の底部に戻すように構成されている請求項９乃至１１のいずれか一項に記載の嫌気性浄化装置。
【請求項１３】
前記ガス液分離装置（３０）の前記液体サイクロン（３６）の前記液体排出口（３８）が前記ダウナーパイプ（２４）に接続され、前記液体排出口が、前記ガス液分離装置からの液体を前記嫌気性浄化装置の前記反応槽（１０）の底部に案内するように構成されている、請求項１２に記載の嫌気性浄化装置。
【請求項１４】
複数の前記ガス液分離装置（３０）を備えた請求項９乃至１３のいずれか一項に記載の嫌気性浄化装置。
【請求項１５】
請求項９乃至１４のいずれか一項に記載の嫌気性浄化装置を用いて排水などの流体を浄化する方法。
【発明の詳細な説明】
【技術分野】
【０００１】
本発明は、嫌気性浄化装置用の脱ガス装置に関する。
【背景技術】
【０００２】
排水などの流体の浄化用の嫌気性浄化装置は従来技術から知られている。特許文献１は、有機物を含有する排水が、溶存有機物が嫌気性条件下で分解される処理を受ける嫌気性浄化装置を開示している。流体は浄化装置の反応槽に進入する。溶存物を含む流体が、反応槽内に位置するバイオマスと接触すると、ガスが、より具体的にはバイオガスが発生する。流体の循環サイクルが作られ、そのサイクルで流体は、生じたガスとともにライザーパイプを通って上に押し上げられ、反応器の上に位置する脱ガス装置に達し、そこでガスは流体から分離され、ガスは装置から出るが、流体はサイクルで再び使用されるために反応器の底部へとダウナーパイプ内を下方に流れる。
【０００３】
脱ガス装置において効率良い脱ガスが行なわれることが重要である。ガスがシステムから効率良く放出されないと、ダウナーパイプ内を反応器の底部に向けて下方に流れる流体は依然としてガスを含有し、それはダウナーパイプ内を上昇する傾向となり、流体の流れに変動を引き起こし、大きな衝撃につながる。これらの衝撃は装置に物理的な損害を引き起こし得る。
【０００４】
特許文献１または特許文献２のような、当技術分野で知られる脱ガス装置はいくつかの欠点を有する：それらは大型であり、そのため、ステンレス鋼から構築される。それらはさらに、複雑な形状を有し、槽の頂部に構築され気候条件に耐える必要がある。結果として、それらは高い製造および組み立てコストを要する。
【０００５】
特許文献３は、ガス油混合物が取入管から分離筒に導入されるガス油分離器を開示しており、取入管の前に、混合物は、側壁に穴を有するエントランス管を通ることができる。
【０００６】
特許文献４は、スラッジの混合物、水およびガスを分離するための、装置の上部に配置された分離器を備え、分離器がサイクロンを備えている、水の嫌気性浄化装置を開示している。
【０００７】
したがって、脱ガス装置が単純な構造を有し、同時にシステムからのガスの効率良い放出を可能にする、嫌気性浄化装置用の脱ガス装置があることが望ましい。
【先行技術文献】
【特許文献】
【０００８】
【特許文献１】欧州特許第１７０３３２号明細書
【特許文献２】欧州特許第１８８８４７１号明細書
【特許文献３】米国特許第４０５３２９１号明細書
【特許文献４】米国特許出願公開第２０１３／３１９９３５号明細書
【発明の概要】
【発明が解決しようとする課題】
【０００９】
本発明の目的は、上記に言及した不都合のうち少なくとも１つを克服することを目指した新規の脱ガス装置を提供することである。本発明では、ガスがいくつかの経路を通って反応器から出ることが可能になるとともに、脱ガス装置の形状が効率良い流体の流れを可能にするため、優れた脱ガス特性を有する脱ガス装置を提供する。
【課題を解決するための手段】
【００１０】
以下の説明を通して、水、より詳細には排水の例が開示される。しかしながら、任意の他の適切な流体も用いられ得る。
【００１１】
本発明は、排水の浄化用の嫌気性浄化装置のためのガス液分離装置を提供し、ガス液分離装置は、
ガス液ライザーパイプと、
ガス液ライザーパイプに取り付けられ、ガス液ライザーパイプに対して垂直な平面と−４５度〜＋４５度の角度を画定し、動作時に、ガス液ライザーパイプから流体を受けるように構成された分離パイプと、
嫌気性浄化装置と組み立てられた場合に、接地面と反対方向に、分離パイプに沿った面に配置されて、動作時に、分離パイプ内のガスの少なくとも一部をガス液分離装置の外部に導くように構成された少なくとも１つのパイプガス排出口と、
分離パイプに取り付けられ、動作時に、分離パイプから流体を受けるように構成された液体サイクロンと、
動作時に、液体サイクロンに進入するガスを液体サイクロンの外部に導くように構成された少なくとも１つのサイクロンガス排出口と、
動作時に、脱ガス済みの流体を液体サイクロンの外部に導くように構成された１つの液体排出口を備えている。
【００１２】
少なくとも１つのサイクロンガス排出口は液体サイクロンの上部側に配置されてよい。液体排出口は液体サイクロンの底部に取り付けられてよい。
【００１３】
本発明は、流体の流れと、流体からのガスの分離とを促進する脱ガス装置の設計を有利に提供する。分離パイプがガス液に接続される角度が、流体の引き上げと流れの変動を確定する。角度は、流体汚染物質濃度によってケースバイケースで変更でき、−４５度〜＋４５度の許容範囲を有する。
【００１４】
本発明の一実施形態は、嫌気性浄化装置と組み立てられたときに、嫌気性浄化装置と反対方向を向く分離パイプの面に少なくとも１つのパイプガス排出口が配置されたガス液分離装置を提供する。
【００１５】
本発明の別の実施形態は、分離パイプが、複数の、好ましくは２〜１０箇所の、より好ましくは少なくとも３箇所の、さらに好ましくは４〜６または５箇所の、さらに好ましくは３〜６箇所のパイプガス排出口を備えているガス液分離装置を提供する。
【００１６】
本発明の好ましい実施形態において、ガスが流体とともに分離パイプを通って流れるにつれガスが脱ガスパイプから排出され得るように、複数の排出口が分離パイプの表面上に配置されている。分離パイプ中に存在する排出口の数は、１以上、好ましくは２以上、好ましくは５以上であってよい。
【００１７】
本発明の別の実施形態は、少なくとも１つのパイプガス排出口が、１０ミリメートルから１５０ミリメートルの間、より好ましくは５０ミリメートルから１５０ミリメートルの間の直径を有するガス液分離装置を提供する。
【００１８】
本発明の別の実施形態は、少なくとも１つのパイプガス排出口が、１００ミリメートルから４００ミリメートルの間、より好ましくは１５０ミリメートルから３００ミリメートルの間の直径を有するガス液分離装置を提供する。
【００１９】
本発明の一実施形態は、ガス液ライザーパイプが、嫌気性浄化装置と組み立てられた場合に垂直な配向を有するガス液分離装置を提供する。
【００２０】
本発明の別の実施形態は、分離パイプの直径がライザーパイプの直径以上であるガス液分離装置を提供する。
【００２１】
本発明の別の実施形態は、液体サイクロンの直径が分離パイプの直径以上であるガス液分離装置を提供する。
【００２２】
本発明の別の実施形態は、プラスチック材料、好ましくはポリプロピレンで製造されたガス液分離装置を提供する。
【００２３】
本発明の別の実施形態は、複数のライザーパイプと複数の分離パイプを備え、各ライザーパイプが各分離パイプに接続され、複数の分離パイプが液体サイクロンに接続されているガス液分離装置を提供する。
【００２４】
本発明の有利な実施形態は、ガス液分離装置に達するガスと流体の量を増加させ、脱ガス操作を最適化するために複数のライザーパイプと分離パイプを提供する。
【００２５】
本発明はさらに、
−反応槽と、
−反応槽の上部に配置された流体回収部と、
−動作時に、反応槽に収容された流体からガスを回収するための、流体回収部の下のレベルに配置された少なくとも１つのガス回収システムと、
−上記請求項のいずれか一項に記載の少なくとも１つのガス液分離装置と、
−少なくとも１つのガス回収システムに接続され、少なくとも１つのガス液分離装置に排出する少なくとも１つのライザーパイプと、
−少なくとも１つのガス液分離装置に接続され、反応槽の底に排出する１つのダウナーパイプと、を備えた嫌気性浄化装置を提供する。
【００２６】
本発明のさらなる実施形態は、反応槽が少なくとも２つのガス回収システムを備えている嫌気性浄化装置を提供し、そのうち少なくとも１つの回収システムは下部ガス回収システムであり、上部ガス回収システムは、液体回収部と下部ガス回収システムの間に配置され、槽内に収容された液体からガスを除去するように構成される。
【００２７】
本発明のさらなる実施形態は、ライザーパイプが、反応槽内に収容された液体を、少なくとも１つのガス回収システム内に回収されたガスによって引き起こされたガス引き上げ動作によって引き上げるように構成されている嫌気性浄化装置を提供する。
【００２８】
本発明のさらなる実施形態は、ダウナーパイプが、ガス液分離装置からの液体を反応槽の底部に戻すように構成された嫌気性浄化装置を提供する。
【００２９】
本発明のさらなる実施形態は、ガス液分離装置の液体サイクロンの液体排出口がダウナーパイプに接続され、液体排出口が、ガス液分離装置からの液体を反応槽の底部に案内するように構成された嫌気性浄化装置を提供する。
【００３０】
本発明のさらなる実施形態は、複数のガス液分離装置を備えた嫌気性浄化装置を提供する。
【００３１】
本発明はさらに、嫌気性浄化装置を用いた排水などの流体の浄化の方法を提供する。
【図面の簡単な説明】
【００３２】
添付の図面シートにおいて、
【図１】本発明の一実施形態によるガス液分離装置を備えた嫌気性浄化装置の模式図である。
【図２】本発明の一実施形態によるガス液分離装置を備えた嫌気性浄化装置の上部の図である。
【図３】本発明の一実施形態による嫌気性浄化装置内のガス液分離装置の上面図である。
【図４】本発明の別の実施形態によるガス液分離装置を備えた嫌気性浄化装置の上部の図である。
【発明を実施するための形態】
【００３３】
図１は、本発明の一実施形態によるガス液分離装置を備えた嫌気性浄化装置を模式的に示す。
【００３４】
図１の嫌気性浄化装置は３つの部分：反応槽１０、移送システム２０およびガス液分離装置３０を備える。反応槽は、例えば排水である浄化対象の流体が、動作条件下でそこを介して嫌気性浄化装置に流入する流体取入口１２を備えている。この流体は、特定レベルのＣＯＤ（化学的酸素要求量として測定された溶解性有機炭素）、言い換えると特定量の不純物を有する有機物を含む。不純物は、反応槽内部のバイオマスを通過するにつれバイオガスに変換される。槽の上部において、流体回収部１８は浄化済みの流体を回収してそれを嫌気性浄化装置の外に導く。
【００３５】
流体が流体取入口１２から槽１０に流入すると、流体に溶解している不純物が槽内に存在するバイオマスと接触してバイオガスが生成される。流体は上昇の途上で、ガスが保持される複数のフードをそれぞれが備えた複数のガス回収システムを横切る。
【００３６】
本明細書を通して、ガスとバイオガスは互換的に用いられ得るが、それは、ガスに言及するとき、それは、バイオマスが、流体と溶解した不純物に接触するときに生成されるガスであるからである。
【００３７】
本発明の一実施形態によれば、下部ガス回収システム１４は、反応槽内を通って上昇する流体に含まれたガスを回収し、下部ガス回収システム１４は保持されたガスを移送システム２０に案内する。より具体的には、下部ガス回収システム１４はガスをライザーパイプ２２に案内し、ライザーパイプ２２を介してガスは、ガス液分離装置３０に達するまで上昇する。このガスは流体を含んでおり、ガス液分離装置３０内でガスと流体が分離され、ガスは放出され、流体はダウナーパイプ２４を介して反応槽１０の底部に戻される。この流体はこうして再生されて浄化サイクル内で再利用され得る。
【００３８】
反応槽１０を通って上昇し続ける流体は次に上部ガス回収システム１６に達する。ここで、下部ガス回収システム１４で回収されなかったガスが回収され、反応器の上部に配置されたガスヘッドスペース４０に導かれる。浄化済みの流体が、反応槽１０の上部に達し、流体回収部１１を介して槽から出て、ガスヘッドスペース４０まで上昇したガスはシステムガス排出口３９を介して槽から出る。
【００３９】
移送システムのライザーパイプ２２はガス液分離装置のガス液ライザーパイプ３２で終結する。両パイプは同じパイプであってもよく、したがって、ライザーパイプとガス液ライザーパイプ３２は本明細書中で互換的に用いられる。
【００４０】
ライザーパイプ３２は分離パイプ３４に接続されている。ライザーパイプ３２と分離パイプ３４は、本発明の一実施形態によれば−４５度〜＋４５度の範囲であり得る角度αを形成する。角度αは−４５度〜＋３０度の範囲であってもよい。前記角度αは、図２を参照して詳述するように、分離パイプ３４と、ライザーパイプ３２の方向に対して垂直な平面との間の角度として定義される。流体の汚染物濃度によっては、ライザーパイプ３２と分離パイプ３４との間に異なる角度を持たせることが望ましくあり得る。
【００４１】
ライザーパイプ３２は、嫌気性浄化装置と組み立てられた場合に、垂直な配向、または実質的に垂直な配向で配置されてよい。
【００４２】
少なくとも１つのパイプガス排出口３５は、分離パイプ３４の表面に沿って、より具体的には、ガス液分離装置が嫌気性浄化装置に取り付けられたときに浄化装置と反対方向を向く分離パイプの表面に沿って配置されている。好ましくは、本発明の実施形態は、２〜１０個などの複数のパイプガス排出口３５を含む。より小径でより多数のパイプガス排出口か、より大径でより少数のパイプガス排出口が選択され得るように、パイプガス排出口に異なる直径が用いられてよい。パイプガス排出口の分量は変動してよく、ケースバイケースで選択されてよいことを理解されたい。ガス液分離装置が、大量のガスが生成されアプリケーションで用いられることになっている場合、分離パイプ３４を通過するにつれてより大量のガスが放出され得るために、より多数のパイプガス排出口３５が望ましくあり得る。
【００４３】
分離パイプ３４は、パイプガス排出口３５を通って分離パイプから出なかった液体とガスが、最後の脱ガスステップのために液体サイクロン３６に進入するように、液体サイクロン３６に接続される。当技術分野で知られるように、液体サイクロン３６は、動作時に、粒子を、高密度粒子では高く、軽粒子では低い向心力に基づいて分離するように構成される。流体とガスの混合物がサイクロン３６に進入すると、より低い密度を有するガスは、サイクロンの上部に配置されたサイクロンガス排出口３７を介してサイクロンから出てゆき、流体はサイクロンの下部に配置された液体排出口３８を介してサイクロンから出る。この排出口はダウナーパイプ２４の取入口であり、脱ガス済みの流体は取入口を介して下方に流れて槽１０の底部に達し、再循環システム内で再利用される準備が整う。
【００４４】
本発明実施形態による反応槽は、流体の浄化が嫌気状態で行なわれ得るように完全に密封された閉鎖空間であり、反応器内部に位置するガスは特定の圧力下にある。
【００４５】
本発明の好ましい実施形態において、ガス液分離装置３０と反応槽１０は同じ閉鎖された構造または反応器内で組み立てられ、ガス液分離装置３０は反応槽１０の上に配置されている。ガス液分離装置３０と反応槽１０を覆う反応器の上部に、ガスヘッドスペース４０とシステムガス排出口３９が配置されている。パイプガス排出口３５とサイクロンガス 排出口３７を介してガス液分離装置３０から出るガスは、ガスヘッドスペース４０まで上昇して、そこからシステムガス排出口３９を介してシステムから出る。図１に示した実施形態において、システムガス排出口は閉構造のルーフの中央領域に配置されるが、本発明はそれに限定されず、システムガス排出口は、ガスがシステムから自然に流出することを可能にする閉構造の上部の任意の位置に配置されてよい。
【００４６】
ガス液分離装置３０が外部環境から隔離されているという事実は、大気条件に耐える必要がないため、ガス液分離装置３０がプラスチックまたは任意の他の同等な適切な材料で製造されることを可能にして製造コストを下げる。
【００４７】
図１に示した実施形態においてガス液分離装置３０は反応器１０の上に配置されているが、本発明の実施形態により、ガス液分離装置３０は、装置が取り付けられることになっている場所の空間と特性によって異なる位置に配置されることが可能である。別の実施形態として、ガス液分離装置は閉構造の外部に、より具体的には反応器の隣に配置されてもよく、パイプガス排出口３５およびサイクロンガス排出口３７を介して出るガスは、システムガス排出口３９を介してシステムから出られるように、ガスヘッドスペース４０への付加的なパイプを通って導かれてよい。
【００４８】
図２は、本発明の一実施形態によるガス液分離装置を備えた嫌気性浄化装置の上部を示す。
【００４９】
図２において、ライザーパイプ３２は、嫌気性浄化装置内に取り付けられたときに垂直な配向を有する。ライザーパイプは別の配向を有してもよいが、配向が垂直に近いほど、パイプの壁によって妨げられずにガスの自然な経路を辿ることができるため、流体とガスはライザーパイプ内をより円滑に上昇可能となる。
【００５０】
ライザーパイプ３２に対して垂直な平面と分離パイプ３４の間に形成された角度αが示されている。この角度は、−４５度〜＋４５度の範囲から選択されてよい。こうして、αが０度であった場合、分離パイプはライザーパイプに対して垂直に配向しているということを意味する。αが−４５度であった場合、ライザーパイプと分離パイプは４５度の角度をなすということを意味し、αが＋４５度であった場合、ライザーパイプと分離パイプは１３５度の角度をなすということを意味する。本発明の実施形態によるαの計算は、１つの実施のオプションであるが、別の基準システムも用いられてよいことを理解されたい。
【００５１】
分離パイプの傾斜角は、反応漕内の流体レベルとともに、流体引き上げと流れの変動を確定する。角度αが−４５度から乖離するほど、分離パイプ内で流体の流れが有するエネルギーが小さくなり、したがって、液体サイクロンに進入するときのエネルギーがより低くなる。
【００５２】
ライザーパイプ３２の直径ｄ１は好ましくは分離パイプ３４の直径ｄ２よりも小さい。こうして、流体とガスの両方がライザーパイプを通って上昇するが、それらが分離パイプに流入すると、混合物はパイプの上面には到達せず、そのためガスのみがパイプガス排出口３５を通って分離パイプから出てゆき、他方で流体は分離パイプから出ずに流れ続けて液体サイクロン３６に達する。
【００５３】
液体サイクロン３６の直径ｄ３は好ましくは分離パイプ３４の直径ｄ２よりも大きい。
【００５４】
図３は、本発明の一実施形態による嫌気性浄化装置内の、ガス液分離装置を覆う閉構造のルーフを含まないガス液分離装置の上面図を示す。
【００５５】
図３で見られるように、パイプガス排出口３５とサイクロンガス排出口３７はそれぞれ分離パイプ３４とサイクロン３６の表面に配置されており、浄化装置と反対方向を向いて、つまり、接地面と反対方向を向いており、それはガスが上昇することによって自然に装置から出るために便利な位置である。
【００５６】
図３の斜視図から、分離パイプ３４が液体サイクロン３６に中心から外れた位置で接続されていることが見て取れる。これは、液体サイクロン３６内に必要な回転を得るために必要である。
【００５７】
図４は、本発明の別の一実施形態によるガス液分離装置を備えた嫌気性浄化装置の上部を示す。
【００５８】
本発明のこの有利な実施形態において、反応槽１０内の液体レベルは所定範囲内で効率良く変えられてよい。これは、所定範囲の下境界の下に、反応槽１０の上部に配置された付加的な流体排出口１５によって達成され得る。この流体排出口１５は、反応槽１０の上部に達する流体が装置から出ることを可能にしてよい。流体排出口を介して装置から出てよい流体の量は、流体レベル制御手段によって制御されてよい。流体排出口１５を介した液体の流れを、例えば、ガス生成測定および／または流体レベル測定に基づいて弁を制御することによって制御することで、反応器内の流体レベルが制御され得る。流体レベルを制御することによって、ガス分離装置３０内の流体と流体レベルでの圧力との相対圧力が制御され得る。するとこれは、液体とガスの混合物がライザーパイプ３２を通って上昇する速度に影響を与える。出願者は、ガス生成が比較的高い場合、ガス成分が豊富な流体が、望ましくない変動なしにガス液分離装置に達するために十分に長い経路を通過できるように、流体レベルを減少させることが推奨されることを見出した。他方で、ガス生成が比較的低い場合、ガスと液体がライザーパイプ３２を通って分離パイプ３４のほうに辿らなければならない経路を縮小するために、流体レベルが増加されてよい。
【００５９】
本発明の実施形態によるガス液分離装置は、従来技術のガス液分離装置より小型のサイズと、より単純な形状を有する。さらに、装置が外部環境から隔離されているという事実は、ポリプロピレンなどのプラスチックから装置が構築されることを可能にし、結果としてより低い製造コストと、外部位置に配置された場合に気象条件に対する改良された耐性をもたらす。
【００６０】
本発明のガス液分離装置の特定の設計は、分離パイプ３４内を流れる流体のエネルギーが、角度α、分離パイプの直径および分離パイプの長さの値を確定することによって制御されることを可能にする。
【００６１】
分離パイプ３４内の流体の力の粗調整は、上述のパラメータの調節で達成される。微調整は、システム内で生成されるガスの量に基づいて、流体のより高いまたはより低いレベルが維持されるように反応槽内の流体レベルを変動させることによって達成でき、したがって、ガス液分離装置に達するガスと流体が、乱流を生じさせる大きすぎる力でガス液分離装置に達して、または流体に十分なエネルギーを与えない少な過ぎる力でガス液分離装置に達して次に反応器の底に流下することが回避される。
【００６２】
本発明のさらなる実施形態によれば、添付の図面に開示されてはいないが、ガス液分離装置は、下部ガス回収システムに保持されたガスと流体用に２以上の循環経路が形成されるように、２以上のガス液ライザーパイプ３２と２以上の分離パイプ３４を備えてよい。本発明の一実施形態によれば、１つの液体サイクロン３６にそれぞれ複数の分離パイプ３４が接続されてよい。本発明の別の好ましい実施形態によれば、多数の分離パイプ３４がすべて１つの同じ液体サイクロン３６に接続されてよい。嫌気性浄化装置に最も適したガス液ライザーパイプ３２および分離パイプ３４の分量は、浄化装置内で浄化されることになっている流体の量に依存して選択されてよい。
【００６３】
上記の図の説明において、本発明を、その特定の実施形態を参照して説明してきた。しかしながら、添付の特許請求の範囲に要約される本発明の範囲から逸脱せずに、実施形態に種々の変形および変更がなされてよいことも明白である。
【００６４】
特に、本発明の種々の態様の特定の特徴の組み合わせがなされてよい。本発明の態様はさらに、本発明の別の態様に関連して説明された特徴を追加することによってさらに有利に増強され得る。
【００６５】
本発明は添付の特許請求の範囲およびその技術的等価物によってのみ限定されることを理解されたい。本明細書およびその請求の範囲において、動詞「備える」およびその活用形は、「備える」の後のアイテムが含まれることを非限定的な意味合いで意味し、特に言及されていないアイテムを除外するわけではない。さらに、不定冠詞「１つの（（ａ）または（ａｎ））」による１つの要素への言及は、その要素が１つであり唯一であるということを文脈が明白に要求しない限り、２つ以上のその要素が存在するという可能性を除外するものではない。よって、不定冠詞「１つの（（ａ）または（ａｎ））」は、通常「少なくとも１つの」を意味する。
【符号の説明】
【００６６】
類似した要素を示すために説明において使用されてきた類似した参照符号（百の位のみが異なる）は以下のリストからは省略されているが、暗示的に含まれると見なされるべきである。
１０  反応槽
１１  流体回収装置
１２  流体取入口
１４  下部ガス回収システム
１５  流体排出口
１６  上部ガス回収システム
１８  流体回収部
１９  流体レベル
２０  移送システム
２２  ライザーパイプ
２４  ダウナーパイプ
２５  ダウナーパイプ排出口
３０  ガス液分離装置
３２  ガス液ライザーパイプ
３４  分離パイプ
３５  パイプガス排出口
３６  液体サイクロン
３７  サイクロンガス排出口
３８  液体排出口
３９  システムガス排出口
４０  ガスヘッドスペース
α  傾斜角
ｄ１  ライザーパイプ直径
ｄ２  分離パイプ直径
ｄ３  液体サイクロン直径
【図１】
2019529082.tif 000003
【図２】
2019529082.tif 000004
【図３】
2019529082.tif 000005
【図４】
2019529082.tif 000006
【国際調査報告】
2019529082.tif 000007
2019529082.tif 000008